(57)【要約】【課題】送風効率を高めるとともに温度上昇を抑制し、信頼性の高い電動送風機を実現することを目的とするものである。【解決手段】ステータ１６と自在に回転するロータ１３と、前記ロータ１３の回転軸３に設けられたインペラ４と、前記インペラ４を覆うケーシング６とを備え、前記ケーシング６の外周に、前記インペラ４により吸引された気流の一部を排出する排気部７を設けるとともに、前記排気部７を開閉する開閉手段２９を有するもので、温度上昇を抑制して信頼性の向上を図るものである。【選択図】  図１
2004169592.tif 000002
【特許請求の範囲】
【請求項１】
ステータと自在に回転するロータと、前記ロータの回転軸に設けられたインペラと、前記インペラを覆うケーシングとを備え、前記ケーシングの外周に、前記インペラにより吸引された気流の一部を排出する排気部を設けるとともに、前記排気部を開閉する開閉手段を有する電動送風機。
【請求項２】
開閉手段は、その近傍の温度を感知して開閉動作を行う請求項１記載の電気掃除機。
【請求項３】
排気部から排出させる気流の温度が上昇すると、開閉手段は排気部を閉塞するように動作する請求項２記載の電動送風機。
【請求項４】
ステータと自在に回転するロータと、前記ロータの回転軸に設けられたインペラと、前記インペラを覆うケーシングと、前記ロータに電力を供給するカーボンブラシを収納した収納部材とを備え、前記ケーシングの外周に、前記インペラにより吸引された気流の一部を排出する排気部を設けるとともに、前記収納部材に前記カーボンブラシを冷却する冷却部を設けた電動送風機。
【請求項５】
電動送風機が吸引する空気の流れ方向と略同方向に冷却部を設けた請求項４記載の電動送風機。
【請求項６】
塵埃を捕集する集塵室と、前記集塵室に連通するように接続される吸気部とを備え、請求項１〜５のいずれか１項記載の電動送風機を内蔵した電気掃除機。
【発明の詳細な説明】
【０００１】
【発明の属する技術分野】
本発明は電動送風機及び電気掃除機に関するものである。
【０００２】
【従来の技術】
従来の電動送風機について図５を用いて説明する。
【０００３】
１は、モータ部２の回転軸３に、回転することで気流を発するインペラ４を取付け固定した電動送風機であり、前記インペラ４の外周に対向して動圧を静圧に変換するエアガイド５が配置されている。６はインペラ４とエアガイド５を内包し、かつモータ部２の外周に気密に取り付けられた中央部に吸気孔６ａを有するケーシングである。前記ケーシング６の外周には複数個の排気口Ａ７が設けられている。このように、吸込んだ気流の一部を、ケーシング６の外周の複数個の排気口Ａ７から排出させることにより、電動送風機１の送風効率が向上させる構成としている。
【０００４】
また、モータ部２を構成するブラケット８には、前記インペラ４で吸引された空気を排気する排気口Ｂ９が設けているとともに、前記回転軸３に整流子１０と薄い珪素鋼板を積層して成る電機子コア１１を圧入固定し、巻線１２を施したロータ１３と、薄い珪素鋼板を積層して成る界磁コア１４に巻線１５を施したステータ１６を内蔵している。また、前記ブラケット８には整流子１０と摺動するカーボンブラシ１７を収納した異形管１８を設けている。
【０００５】
以上の構成における動作について説明すると、モータ部２が運転し、回転軸３に取付け固定されたインペラ４が高速で回転すると吸込まれる気流が発生し、この気流はインペラ４の外周より排出されエアガイド５を経由して、気流の一部はケーシング６の外周に設けられた排気口Ａ７から外部に排出され、その他の気流はブラケット８内のロータ１３、ステータ１６の巻線１２、１５と、カーボンブラシ１７を冷却した後に排気口Ｂ９から排出されるものであった（例えば、特許文献１参照。）。
【０００６】
【特許文献１】
実開昭６１−４７９６４号公報
【０００７】
【発明が解決しようとする課題】
しかしながら上記従来の構成では、モータ部２内を通過する空気量が減少するため、巻線（１２、１５）やカーボンブラシ１７の冷却効果が著しく低下して温度が異常に高くなってしまい電動送風機の信頼性を損なうという課題があった。
【０００８】
本発明は上記課題を解決するもので、送風効率を高めるとともに温度上昇を抑制し、信頼性の高い電動送風機を実現することを目的とするものである。
【０００９】
【課題を解決するための手段】
上記目的を達成するために本発明は、ステータと自在に回転するロータと、前記ロータの回転軸に設けられたインペラと、前記インペラを覆うケーシングとを備え、前記ケーシングの外周に、前記インペラにより吸引された気流の一部を排出する排気部を設けるとともに、前記排気部を開閉する開閉手段を有するもので、温度上昇を抑制して信頼性の向上を図るものである。
【００１０】
【発明の実施の形態】
本発明の請求項１記載の発明は、ステータと自在に回転するロータと、前記ロータの回転軸に設けられたインペラと、前記インペラを覆うケーシングとを備え、前記ケーシングの外周に、前記インペラにより吸引された気流の一部を排出する排気部を設けるとともに、前記排気部を開閉する開閉手段を有するもので、温度上昇を抑制して信頼性の向上を図るものである。
【００１１】
本発明の請求項２記載の発明は、開閉手段は、その近傍の温度を感知して開閉動作を行うもので、温度が上昇してきた時に排気口を閉塞してモータ部内への空気量を増して温度上昇を抑制できるものである。
【００１２】
本発明の請求項３記載の発明は、排気部から排出させる気流の温度が上昇すると、開閉手段は排気部を閉塞するように動作するもので、吸い込み力を向上させながら温度上昇を抑制することができるものである。
【００１３】
本発明の請求項４記載の発明は、ステータと自在に回転するロータと、前記ロータの回転軸に設けられたインペラと、前記インペラを覆うケーシングと、前記ロータに電力を供給するカーボンブラシを収納した収納部材とを備え、前記ケーシングの外周に、前記インペラにより吸引された気流の一部を排出する排気部を設けるとともに、前記収納部材に前記カーボンブラシを冷却する冷却部を設けたもので、カーボンブラシの温度上昇を低減させて信頼性の向上が図れるものである。
【００１４】
本発明の請求項５記載の発明は、電動送風機が吸引する空気の流れ方向と略同方向に冷却部を設けたもので、空気の流れ方向が略同方向のため、空気が前記冷却部に流入しやすく、カーボンブラシの温度上昇を更に低減さて信頼性の向上が図れるものである。
【００１５】
本発明の請求項６記載の発明は、塵埃を捕集する集塵室と、前記集塵室に連通するように接続される吸気部とを備え、請求項１〜５のいずれか１項記載の電動送風機を内蔵した電気掃除機で、電動送風機の送風効率を向上させ強い吸い込み力を実現するとともに、電動送風機の温度上昇を抑制した信頼性の高い電気掃除機を実現できるものである。
【００１６】
【実施例】
（実施例１）
以下、本発明の第１の実施例を、図１、図２を用いて説明する。
【００１７】
１は、モータ部２とファン部１９から成る電動送風機である。前記モータ部２は、負荷側の軸受け２０を保持するブラケットＡ２１と、反負荷側の軸受け２２を保持するブラケットＢ２３とから外郭を構成し、前記ブラケットＢ２３内には、回転軸３に整流子１０と薄い珪素鋼板を積層して成る電機子コア１１を圧入固定し、巻線１２を施したロータ１３と、薄い珪素鋼板を積層して成る界磁コア１４に巻線１５を施したステータ１６を内蔵している。また、前記ブラケットＢ２３には整流子１０と摺動するカーボンブラシ１７を収納した収納部である異形管１８を設けている。前記ファン部１９は、前記回転軸３に、一対の前面シュラウド２４と後面シュラウド２５によって複数枚のブレード２６を挟持固定して構成され、回転することで吸引風を発するインペラ４が取付け固定されている。前面シュラウド２４の中央部に吸気孔２４ａが設けられている。
【００１８】
また、前記インペラ４の外周には、複数の案内翼２７でボリュート室２８を構成したエアガイド５を配置している。６はインペラ４とエアガイド５を内包し、かつブラケットＢ２３の外周に気密に取り付けられた中央部に吸気孔６ａを有するケーシングであり、その外周にはエアガイド５を経由した気流の一部が排出される排気部である排気口Ａ７が設けられている。また、ブラケットＢ２３にも、排気口Ｂ９が設けているとともに、前記ケーシング６に設けた排気口Ａ７には、前記排気口Ａ７を開閉自在にする可動する開閉手段である開閉弁２９が設けられている。
【００１９】
上記構成による作用は以下の通りである。
【００２０】
まず、モータ部２のカ−ボンブラシ１７及び整流子１０を経由してロータ１３の巻線１２とステータ１６の巻線１５に電力が供給されるとロータ１３の回転軸３が高速で回転し、この回転軸３に固定されたインペラ４も高速で回転する。その結果吸引される気流が発生し、前記インペラ４の前面シュラウド２４に設けた吸込み口２４ａから吸込まれ、前面、後面シュラウド２４、２５と複数のブレード２６で囲まれた空間を通ってインペラ４外周より排出される。
【００２１】
そして、インペラ４より排出された気流は、エアガイド５に設けられた隣り合う複数の案内翼２７で構成されるボリュート室２８を通ってエアガイド５の外周より排出される。
【００２２】
このエアガイド５の外周から排出された気流の一部はケーシング６に設けられた排気口Ａ７から外部へ排出され、残りの気流はブラケットＢ２３内に内蔵されたロータ１３、ステータ１６、カーボンブラシ１７等を冷却した後にブラケットＢ２３に設けた排気口Ｂ９から外部に排出されるものである。
【００２３】
ここで、吸込まれた気流の一部がケーシング６に設けられた排気口Ａ７から直接外部に排出されるので、エアガイド５に形成されたボリュート室２８を経由してエアガイド５の裏面へ導かれる際に生じる気流の「曲がり損失」が低減され、また同時にモータ部２内を通過する気流も減少するのでその際に生じる「風損」も低減される。従って前記「曲がり損失」と「風損」の流体的損失が低減できるので全体の送風効率が向上するものである。
【００２４】
しかし、この場合にモータ部２内を通過する空気量が減少するためにブラケットＢ２３内に内蔵したロータ１３、ステータ１６、カーボンブラシ１７等の温度が上昇してしまい信頼性の低下を招く危険性があった。
【００２５】
そこでケーシング６に設けた温度変化によって稼動する開閉弁２９が、モータ部２の温度を感知して、ある一定温度になると前記ケーシング６に設けた排気口Ａ７を閉塞することによりモータ部２内へ導かれる空気量を増加させて冷却効果を改善することができる。開閉弁２９は、例えば記憶形状樹脂や形状記憶合金等で構成すれば比較的簡単に効果を得ることができるものである。したがって、ロータ１３、ステータ１６、カーボンブラシ１７等を冷却効果が向上して温度上昇の抑制が図れるので、吸い込み力が強くかつ信頼性の高い電動送風機が実現できる。
【００２６】
一般的にこの種の電動送風機１は、ケーシング６から吸い込まれる空気量が低下してきた時にモータ部２の温度が上昇するものであり、空気量が減少してきた時に前記開閉弁２９によりケーシング６に設けた排気口Ａ７を閉塞すれば良いことは言うまでもない。
【００２７】
（実施例２）
次に本発明の第２の実施例を、図３を用いて説明する。なお上記実施例と同一構成部品については同一符号を付してその説明を省略する。
【００２８】
整流子１０と摺動するカーボンブラシ１７を収納する収納部である異形管１８に、前記カーボンブラシ１７に空気を直接当てるようにすることで、前記カーボンブラシ１７を冷却するための冷却部である冷却孔３０を設けたものである。
【００２９】
上記構成による作用は以下の通りである。
【００３０】
ケーシング６から吸い込まれる空気量が低下してきても、カーボンブラシ１７を収納する異形管１８に設けた冷却孔３０から空気が導かれ、前記空気が前記カーボンブラシ１７に直接当たることで、前記カーボンブラシ１７を冷却でき、それにより、前記カーボンブラシ１７の温度上昇を抑制して信頼性の向上が図れるものである。
【００３１】
また、この時モータ部２内を通過する空気の流れる方向と同じ方向から、前記カーボンブラシ１７に空気を直接当たるよう、カーボンブラシ１７の収納部である異形管１８に冷却孔３０を設けると、更にその効果が向上することは言うまでもない。
【００３２】
（実施例３）
次に本発明の第３の実施例を、図４を用いて説明する。なお上記実施例と同一構成部品については同一符号を付してその説明を省略する。
【００３３】
３１は、塵埃を捕集する集塵室３２と、前記集塵室３２に連通するように接続される塵埃を吸引する吸込部３３とを備えるとともに、上記実施例で述べた電動送風機１を内蔵した電気掃除機である。
【００３４】
上記構成による作用は以下の通りである。
【００３５】
電動送風機１の送風効率を向上させ、かつモータ部２の温度上昇を抑制することで、信頼性の高い電気掃除機３０を実現できる。
【００３６】
【発明の効果】
本発明によれば、送風効率を高めるとともに温度上昇を抑制し、信頼性の高い電動送風機を実現できる。
【図面の簡単な説明】
【図１】本発明の第１の実施例を示す電動送風機の側断面図
【図２】同排気口Ａと開閉弁を示す部分断面図
【図３】本発明の第２の実施例を示すカーボンブラシの収納部である異形管の斜視図
【図４】本発明の第３の実施例を示す電動送風機を内蔵した電気掃除機の斜視図
【図５】従来の電動送風機の側断面図
【符号の説明】
１  電動送風機
２  モータ部
３  回転軸
４  インペラ
５  エアガイド
６  ケーシング
６ａ  吸気孔
７  排気口Ａ
９  排気口Ｂ
１０  整流子
１３  ロータ
１６  ステータ
１７  カーボンブラシ
１８  異形管
２７  案内翼
２８  ボリュート室
２９  開閉弁
３０  冷却孔
３１  電気掃除機
３２  集塵室
【図１】
2004169592.tif 000003
【図２】
2004169592.tif 000004
【図３】
2004169592.tif 000005
【図４】
2004169592.tif 000006
【図５】
2004169592.tif 000007